(57)【要約】【課題】  本発明は、ファクシミリ等によってデータの送受信を行う際の認証装置に関し、特に名刺や登録カードに指紋データを記憶し、迅速に認証処理を行うことができ、更に分割指紋画像の並べ替えや、分割指紋画像に対応した暗証番号の採用により、充分セキュリティーが充分確保された認証装置を提供するものである。【解決手段】  本発明は名刺に通常記載するデータと共に、指紋データを記憶し、名刺交換によって取得した名刺の情報を認証装置に予め登録するものであり、指紋データ等の情報は名刺に内臓されたＩＣに電子データとして登録されている。そして、名刺交換した相手先に対してファクシミリ等のデータを送信する際、先ず送信先に指紋データを送信し、相手先を確認した後、データの送信を行い、ファクシミリ送信等で発生する誤送信を防止する。【選択図】  図１
2006331355.tif 000002
【特許請求の範囲】
【請求項１】
細分化され、任意に並べ替えが行われた指紋情報を、名前情報と共に登録する登録手段と、
前記名前情報に基づいて前記登録手段を検索し、前記名前情報と共に前記指紋情報を相手先に送信し、該相手先に認証を求める第１の送信手段と、
該相手先からの認証結果に基づいて、該相手先に対してデータの送信を行う第２の送信手段と、
相手先から認証を求める名前情報と指紋情報が入力する時、該両情報を前記登録手段に登録された情報と比較し、該比較結果を認証結果の情報として前記相手先に送信する第３の送信手段と、
を有することを特徴とする認証装置。
【請求項２】
細分化され、任意に並べ替えが行われた生体情報を、名前情報と共に登録する登録手段と、
前記名前情報に基づいて前記登録手段を検索し、前記名前情報と共に対応する前記生体情報を相手先に送信し、該相手先に認証を求める第１の送信手段と、
該相手先からの認証結果に基づいて、該相手先に対してデータの送信を行う第２の送信手段と、
相手先から認証を求める名前情報と生体情報が入力する時、該両情報を前記登録手段に登録された情報と比較し、該比較結果を認証結果の情報として前記相手先に送信する第３の送信手段と、
を有することを特徴とする認証装置。
【請求項３】
前記登録手段に登録される名前情報と指紋情報は、名刺に記憶、又は記載された情報をデータ読取手段によって読み取った情報であることを特徴とする請求項１記載の認証装置。
【請求項４】
前記登録手段に登録される名前情報と生体情報は、名刺に記憶、又は記載された情報をデータ読取手段によって読み取った情報であることを特徴とする請求項２記載の認証装置。
【請求項５】
指紋情報を細分化して並べ替えが行われた指紋データを記憶すると共に、前記指紋情報の細分化と並べ替えに対応する暗証番号を記憶する記憶手段と、
指紋情報と前記暗証番号の入力が行われる入力手段と、
該入力手段から入力した指紋情報と前記暗証番号に基づいて、
前記記憶手段に記憶された指紋データの認証を行う認証手段と、
を有することを特徴とする認証装置。
【請求項６】
生体情報を細分化して並べ替えが行われた生体データを記憶すると共に、前記生体情報の細分化と並べ替えに対応する暗証番号を記憶する記憶手段と、
生体情報と前記暗証番号の入力が行われる入力手段と、
該入力手段から入力した生体情報と前記暗証番号に基づいて、
前記記憶手段に記憶された生体データの認証を行う認証手段と、
を有することを特徴とする認証装置。
【発明の詳細な説明】
【技術分野】
【０００１】
本発明は、ファクシミリ等によってデータの送受信を行う際の認証装置に関する。
【背景技術】
【０００２】
近年、虹彩や、筆跡、手のひら静脈等の情報を使用して個人認証を行う認証装置が採用されている。例えば、特許文献１には指紋を使用した認証を行うための読み取りシステムが提案されている。例えば、指と読み取り手段に付属するセンサとが接触し、かつセンサ及び指が互いにスライドする相対的運動を行う際に指紋を読み取り、この運動中に得られた部分イメージから指紋の再構築を行って指紋読み取りを行う構成である。
【０００３】
また、特許文献２には指紋認証システムが提案され、センサで読み込んだ指紋を分割し、予め登録された指紋と特徴点の近似度を比較して指紋認証を行うシステムである。
【特許文献１】特開平１０−９１７６９号公報（段落番号００５０〜００６３）
【特許文献２】特開２００３−５１０１３号公報（段落番号００１２〜００２０）
【発明の開示】
【発明が解決しようとする課題】
【０００４】
しかしながら、上記特許文献１の場合、手順が複雑であり、指紋認証が終了するまで多くの時間がかかる。また、特許文献２の場合も、１対２の比率以上に横長の領域内で指紋画像を取り込む必要があることや、特徴部の類似性の判断を行うなど、煩雑な処理が必要である。
【０００５】
そこで、本発明は名刺や登録カードに指紋データを記憶し、迅速に認証処理を行うことができ、更に分割指紋画像の並べ替えや、分割指紋画像に対応した暗証番号の採用により、充分セキュリティーが充分確保された認証装置を提供するものである。
【課題を解決するための手段】
【０００６】
上記課題は本発明によれば、細分化され、任意に並べ替えが行われた指紋情報を、名前情報と共に登録する登録手段と、前記名前情報に基づいて前記登録手段を検索し、前記名前情報と共に前記指紋情報を相手先に送信し、該相手先に認証を求める第１の送信手段と、該相手先からの認証結果に基づいて、該相手先に対してデータの送信を行う第２の送信手段と、相手先から認証を求める名前情報と指紋情報が入力する時、該両情報を前記登録手段に登録された情報と比較し、該比較結果を認証結果の情報として前記相手先に送信する第３の送信手段とを有する認証装置を提供することによって達成できる。
【０００７】
ここで、指紋情報の任意の並べ替えはユーザが行い、細分化の際の分割数もユーザが任意に行う。また、細分化され、選択された指紋データはユーザの名前情報と共に登録手段に予め登録される。そして、この登録手段に登録されたデータを使用して、ファクシミリ送信等においてデータを送る前、送信先のチェックを行う構成である。
【０００８】
このように構成することにより、正しい相手先に対してデータ送信を行うことができ、また指紋データは分割された一部であり、指紋データが流出した場合でも悪用が困難である。
【０００９】
また、上記課題は本発明によれば、細分化され、任意に並べ替えが行われた生体情報を、名前情報と共に登録する登録手段と、前記名前情報に基づいて前記登録手段を検索し、前記名前情報と共に対応する前記生体情報を相手先に送信し、該相手先に認証を求める第１の送信手段と、該相手先からの認証結果に基づいて、該相手先に対してデータの送信を行う第２の送信手段と、相手先から認証を求める名前情報と生体情報が入力する時、該両情報を前記登録手段に登録された情報と比較し、該比較結果を認証結果の情報として前記相手先に送信する第３の送信手段とを有する認証装置を提供することによって達成できる。
【００１０】
本発明は、虹彩や手のひら静脈等の生体情報を認証に使用するものであり、従って生体情報の任意の並べ替えは、例えば虹彩データを細分化して任意に並べ替え、又は手のひら静脈のデータを細分化して任意に並べ替えることによって実現できる。
【００１１】
このように生体情報を識別情報として使用した場合でも、上記発明と同様、正しい相手先に対してデータ送信を行うことができ、また生体情報は分割された一部であり、生体情報が流出した場合でも悪用が困難である。
【００１２】
また、前記登録手段に登録される名前情報と指紋情報は、例えば名刺に記憶、又は記載された情報をデータ読取手段によって読み取った情報である。同様に、前記登録手段に登録される名前情報と生体情報は、名刺に記憶、又は記載された情報をデータ読取手段によって読み取った情報である。
【００１３】
さらに、指紋情報を細分化して並べ替えが行われた指紋データを記憶すると共に、前記指紋情報の細分化と並べ替えに対応する暗証番号を記憶する記憶手段と、指紋情報と前記暗証番号の入力が行われる入力手段と、該入力手段から入力した指紋情報と前記暗証番号に基づいて、前記記憶手段に記憶された指紋データの認証を行う認証手段とを有する認証装置を提供する構成である。
【００１４】
また、同様に生体情報を細分化して並べ替えが行われた生体データを記憶すると共に、前記生体情報の細分化と並べ替えに対応する暗証番号を記憶する記憶手段と、生体情報と前記暗証番号の入力が行われる入力手段と、該入力手段から入力した生体情報と前記暗証番号に基づいて、前記記憶手段に記憶された生体データの認証を行う認証手段とを有する認証装置を提供する構成である。
【００１５】
このように構成することにより、例え識別情報が記録された登録カードや名刺を紛失した場合でも、指紋情報や生体情報と共に、細分化、並べ替えに対応する暗証番号を入力することによって、登録手段から情報を読み出すことができる。
【発明の効果】
【００１６】
本発明によれば、予め送信先の確認を行うので、正しい送信先に対してファクシミリデータや印刷データを送ることができる。
また、指紋データや生体データは分割された一部であり、指紋データや生体データが流出した場合でも悪用される可能性が低い。
【００１７】
また、容量の少ない指紋データや生体データを記憶するので、名刺等に取り付けられるＩＣのメモリ容量を小さくすることができる。
さらに、印刷装置等の装置の操作の許可を本例の認証装置によって行うことができ、その際登録カード等を紛失した場合でも認証可能である。
【発明を実施するための最良の形態】
【００１８】
以下、本発明の実施形態について、図面を参照して詳細に説明する。
（実施形態１）
図１は、本実施形態の認証装置のシステム構成図である。本例の認証装置は中央処理演算部１を中心に、指紋データ・名前発信部２、指紋データ・名前受信部３、指紋データ・名前読み取り部４、データ読み取り部５、指紋データ解析部６、データ受信部７、記憶部８、データ送信部９、指紋データ登録部１０で構成されている。
【００１９】
中央処理演算部１は、例えば記憶部８に記憶されたプログラムに従って各部の制御を行い、本例の指紋認証制御を行う。また、指紋データ・名前発信部２は、指紋データ・名前読み取り部４によって読み取ったデータ、又は後述する記憶部８に記憶された名前（ユーザ名）、及び指紋データを相手先に発信する。一方、指紋データ・名前受信部３は、上記とは逆に相手先から送信された名前（ユーザ名）や指紋データを受信する。
【００２０】
図２は上記記憶部８のメモリ構成を示す図である。記憶部８には、ユーザ名毎に指紋データが登録され、登録された指紋データは分割されたユーザの指紋データの一部である。例えば、図３は指紋データの分割例を示し、１つの指紋データは１２分割され、その一部の指紋が記憶部８に登録される。すなわち、１つの指紋は指紋データ１〜指紋データ１２に分割され、ユーザが任意に指定した指紋データが登録される。
【００２１】
例えば、図２において、ユーザＡの場合指紋データ１、３を登録し、ユーザＢの場合指紋データ４、６を登録し、ユーザＣの場合指紋データ９、１を登録している。尚、他のユーザの場合も、同図に示す通りである。また、後述するが、上記指紋データの登録順も重要な指紋認証条件となる。
【００２２】
一方、指紋データ・名前読み取り部４は、顧客と交換する名刺のデータを読み取る装置であり、認証装置の上部に設けられたセンサを含む構成である。図４は認証装置に設けられたセンサの例を示す図であり、本例では認証装置としてＭＦＰ（マルチファンクションプリンタ）の例を示し、ＭＦＰの操作パネルに設けられたセンサ４ａの例を示す。
【００２３】
このセンサ４ａ（指紋データ・名前読み取り部４）に、例えば名刺を置くか、又は近づけることにより名刺のデータを読み取る。また、指を置くことによって指紋データを読み取る。
【００２４】
図５は、本例で使用する名刺の例を示す。
同図に示すように、名刺１１にはＩＣが内蔵され、名刺表面には会社名や、所属、氏名、電話番号等のデータが記載されている。
【００２５】
また、ＩＣには上記名刺表面に記載された記述データが記憶されると共に、当該ユーザの指紋データが記憶される。尚、ＩＣに記憶されている指紋データは、前述の記憶部８に登録される指紋データと同じ分割された指紋データである。
【００２６】
以上の構成において、以下に本例の処理動作を説明する。
先ず、商談等において相手先と交換した名刺１１の情報を読み取る。この処理は、図６に示すフローチャートに従って行われる。先ず、ユーザは交換した名刺１１を前述の指紋データ・名前読み取り部４のセンサ４ａ上に置く。指紋データ・名前読み取り部４は、センサ４ａ上に置かれたものが名刺１１であるか、又は指であるか判断し（ステップ（以下、Ｓで示す）１）、例えば名刺１１であれば、名刺データを読み取る（Ｓ２）。この名刺データの読み取りは、ＩＣに記憶された前述の記述データ及び指紋データを不図示の接触ピン、又は無線通信によって読み取り、中央処理演算部１を介して記憶部８に登録する処理を行う（Ｓ３）。
【００２７】
一方、指がセンサ４ａ上に置かれた場合、指紋データ・名前読み取り部４は指紋の読み取り処理を行う（Ｓ４）。そして、読み取られた指紋データは、記憶部８に登録される（Ｓ５）。また、記憶部８から名前データを抜き出し（Ｓ６）、名前入力を行う（Ｓ７）。
次に、ユーザ自身の指紋データを指紋データ登録部１０に登録する。この処理を説明するフローチャートが図７である。先ず、ユーザは指紋データの分割数を設定する。本例の説明では、例えば前述の１２分割とする（ステップ（以下、ＳＴで示す）１）。
【００２８】
次に、指紋データの読み取り処理を行い、指紋データの読み取り処理が完了するまで続ける（ＳＴ２〜ＳＴ４）。その後、指紋データの読み取り処理が完了すると、前述の分割数に応じた番号設定を行う（ＳＴ５）。例えば、前述のように番号１と３を使用するなら、指紋データ１と３を指定する。
【００２９】
次に、選択した番号の並べ替え処理を行い（ＳＴ６、ＳＴ７）。そして、番号の並べ替え処理が終了すると（ＳＴ６がY）、指紋データ登録部１０に指紋データの登録を行う（ＳＴ６がY）。尚、図８に示すフローチャートはデータ読み取り部５の処理を示し、指紋データ以外のデータの読み取り処理を行い、記憶部８に登録する（ＳＴ９、ＳＴ１０）。
【００３０】
以上のようにして必要なデータを記憶部８、及び指紋データ登録部１０に登録した後、相手先に対してデータ送信処理を行う。
図９はデータ送信を際、本例において行う基本処理を示す。先ず、指紋データ・名前発信部２から相手先に対して指紋データと名前データを発信する（ステップ（以下、ＳＴＰ１）で示す）１）。この処理は、データを送信しようとする相手先に対して確認用の通信を行うものであり、記録部８から相手先の指紋データ及び名前データを読み出し、中央処理演算部１を介して指紋データ・名前発信部２から相手先に発信する。
【００３１】
このデータを取得した相手先の装置では、後述する解析処理を行い、データ受信部７に照合結果を送信する。中央処理演算部１はこの結果を判断し、許可信号であれば、データを当該相手先に対して送信する（ＳＴＰ２、ＳＴＰ３）。したがって、この場合正しい相手先であると判断し、ファクシミリデータや印刷データを相手先に送信する。この送信は、データ送信部９を介して行い、図１０に示すように送信すべき全データを取得した後（ＳＴＰ４、ＳＴＰ５がＹ）、一機に送信処理が行われる（ＳＴＰ６）。
【００３２】
一方、相手先から拒否信号が入力した場合には、データを送信すべき正しい相手先ではないことが分かり、再度確認操作等を行う。このように、本例によればデータを送信する前、指紋データと名前データによって相手先を確認するので誤送信を回避できる。
【００３３】
次に、上記とは逆に、送信先から認証のための指紋データと名前データが送られてきた場合の処理について説明する。この場合、指紋データ・名前受信部３は、送信先から送られた指紋データと名前データを受信する（図１１に示すフローチャートのステップ（以下、Ｗで示す）１）。
【００３４】
このデータは中央処理演算部１を介して指紋データ解析部６に送信される。指紋データ解析部６は、図１２に示すフローチャートに従って指紋データの解析処理を行う。すなわち、入力した名前データに従って記憶部８を検索し、名刺に基づいて予め登録された指紋データを呼び出す（Ｗ２）。そして、送信先から送られた指紋データと記憶部８に登録された指紋データとの一致を判断する。
【００３５】
この場合、分割され登録された指紋データ（指紋の一部）の一致判断を行うものである（Ｗ３）。例えば、前述の図２に示すユーザＡの場合、分割された指紋データ１と３に対する一致判断が行われる。また、ユーザＢの場合、分割された指紋データ４と６に対する一致判断が行われる。
【００３６】
次に、上記判断において、指紋データが一致している時、送信先に対してデータ受信許可信号を出力する（Ｗ３がＹ、Ｗ４）。一方、指紋データが一致しない時、送信先に対してデータ受信拒否信号を出力する（Ｗ３がＮ、Ｗ５）。この場合、いずれの信号もデータ送信部９から送信先に出力される（Ｗ６）。
【００３７】
その後、データ受信許可信号を受信した送信先では、認証結果に基づいてファクシミリデータや印刷データを送信し、このデータはデータ受信部７を介して入力する。図１３はこの処理を示すフローチャートであり、送信先からのデータを受信し（Ｗ７）、例えば記憶部８に書き込む（Ｗ８）。
【００３８】
以上のように本例によれば、データを送信する前、指紋データと名前データによって相手先を確認するので誤送信を防止でき、更に指紋データの一致を判断する際に対象となる指紋データは分割された容量の小さいデータであり、一致判断を短時間で行うことができる。
【００３９】
尚、上記実施形態１の説明では、認証の対象として指紋情報を使用したが、指紋情報に限らず、虹彩や手のひら静脈等の生体情報を使用して実現する構成としてもよい。
（実施形態２）
次に、本発明の実施形態２について説明する。
本例の認証装置は、例えば装置を使用する際の本人認証に関するものである。尚、本例の認証装置のシステム構成は前述の図１と同様であり、記憶部８の構成が異なる。以下、具体的に説明する。
【００４０】
図１４は本例で使用する登録カードの例であり、この登録カード１５には前述の名刺と同様、ＩＣが内臓されている。登録カード１５には会社名や、所属、氏名、電話番号等のデータが記載されている。また、ＩＣにはこの登録カード１５に記載された記述データが記憶される。また、登録者の指紋データが記憶される。但し、本例ではＩＣに記憶されている指紋データは、前述のように一部ではなく、登録者の１つの指紋全てであるが、分割されランダム配置の状態で登録されている。
【００４１】
図１５はその例である。同図に示す「１６１２１４・・・０４」の番号は、指紋情報の分割数と登録順を示し、最初の「１６」は分割数を示し、後の「１２１４・・・０４」は登録順を示す。したがって、同図の例は１６分割された指紋データを分割番号「１２」、「１４」、・・・「０４」の順番に登録したことを示す。
【００４２】
図１６は記憶部８に上記データを登録する例を示し、例えばユーザＡの指紋データを取得すると１６分割し、同図（ａ）に示す状態からユーザが任意に設定した順番で並べ替える。例えば、前述の「１２」、「１４」、「１６」、・・・の順番に並べ替える（同図（ｂ））。そして、この指紋データを記憶部８に登録する。また、同時に上記「１６１２１４・・・０４」のデータも暗証番号として登録する。
【００４３】
以上の設定の後、認証装置（ＭＦＰ）を使用する際、登録カード１５を使用して認証処理を行う。図１７は本例の認証処理を説明するフローチャートである。
先ず、ＭＦＰを使用しようとするユーザは、前述の指紋データ・名前読み取り部４のセンサ４ａに登録カード１４を置き、認証処理を開始する。すなわち、指紋データ・名前読み取り部４のセンサ４ａ上置かれたものが登録カード１５であるか判断する（ステップ（以下、Ｕで示す）１）。
【００４４】
ここで、登録カード１５が置かれたと判断する時（Ｕ１がＹ）、データ認証処理を行う（Ｕ２）。この処理は、予め記憶部８に登録された指紋データと、指紋データ・名前読み取り部４で検出した指紋データを比較し、一致するか否か認証するものである。ここで、両指紋データが一致すれば使用を許可し（Ｕ３）、両指紋データが不一致であれば使用不可とする（Ｕ４）。したがって、本例の指紋データが登録された登録カード１５を指紋データ・名前読み取り部４のセンサ４ａに置くことによって容易にＭＦＰを使用するための認証処理を行うことができる。
【００４５】
尚、登録カード１５を所持しない場合でも、センサ４ａに指を置くことによって指紋判断を行うこともできる（Ｕ１がＮ、Ｕ５がＹ）。この場合、指紋データ・名前読み取り部４は指紋情報を読み込み、暗証番号を入力することによってデータ認証を行うことができる（Ｕ６、Ｕ７、Ｕ２）。すなわち、上記暗証番号は前述のように、指紋データの分割数と登録順を示し、指紋データ・名前読み取り部４から読み込まれた指紋データに対して分割数と登録順が分ければ記憶部８に登録された指紋データとの認証が可能である。
【００４６】
したがって、以後前述と同様、両指紋データを比較し、両指紋データが一致していれば使用を許可し（Ｕ３）、両指紋データが不一致であれば使用不可とする（Ｕ４）。したがって、登録カード１５を紛失した場合や、忘れた場合等、登録カード１５を所有しない場合でも本例の認証処理を行うことができる。
【００４７】
尚、上記実施形態２の説明では、認証の対象として指紋情報を使用したが、指紋情報に限らず、虹彩や手のひら静脈等の生体情報を使用して実現する構成としてもよい。
【図面の簡単な説明】
【００４８】
【図１】本実施形態の認証装置のシステム構成図である。
【図２】記憶部のメモリ構成を示す図である。
【図３】指紋データの分割例を示す図である。
【図４】ＭＦＰの概観構成を示す図である。
【図５】使用する名刺の例を示す図である。
【図６】実施形態１の処理を説明するフローチャートである。
【図７】指紋データの登録処理を示すフローチャートである。
【図８】データ読み取り部の処理を示すフローチャートである。
【図９】データ送信処理を示すフローチャートである。
【図１０】データ送信処理を示すフローチャートである。
【図１１】指紋データ・名前データの受信処理を示すフローチャートである。
【図１２】指紋データ解析部の処理を示すフローチャートである。
【図１３】データ受信部の処理を示すフローチャートである。
【図１４】登録カードの例を示す図である。
【図１５】暗証番号の例を示す図である。
【図１６】（ａ）、（ｂ）は、指紋データの並べ替え処理を説明する図である。
【図１７】実施形態２を説明するフローチャートである。
【符号の説明】
【００４９】
１・・・中央処理演算部
２・・・指紋データ・名前発信部
３・・・指紋データ・名前受信部
４・・・指紋データ・名前読み取り部
４ａ・・センサ
５・・・データ読み取り部
６・・・指紋データ解析部
７・・・データ受信部
８・・・記憶部
９・・・データ送信部
１０・・指紋データ登録部
１１・・名刺
１５・・登録カード
【図１】
2006331355.tif 000003
【図２】
2006331355.tif 000004
【図３】
2006331355.tif 000005
【図５】
2006331355.tif 000006
【図６】
2006331355.tif 000007
【図７】
2006331355.tif 000008
【図８】
2006331355.tif 000009
【図９】
2006331355.tif 000010
【図１０】
2006331355.tif 000011
【図１１】
2006331355.tif 000012
【図１２】
2006331355.tif 000013
【図１３】
2006331355.tif 000014
【図１４】
2006331355.tif 000015
【図１５】
2006331355.tif 000016
【図１６】
2006331355.tif 000017
【図１７】
2006331355.tif 000018
【図４】
2006331355.tif 000019